【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
現像剤容器であって、
現像剤が収納され、開口を有する現像剤収納室と、
前記開口を封止する封止部材と、
前記封止部材の一部が取り付けられており、回転により前記封止部材を剥離することで前記開口を開封する開封部材と、
前記開封部材に取り付けられている撹拌部材と、
前記撹拌部材と接触することにより前記開封部材の回転を規制する規制部であって、前記開封部材が動力を受けたときに、前記開封部材の回転を許容し前記開口を開封するように設けられ、かつ第１の規制部と第２の規制部とを含む規制部と、を有し、
前記開封部材が第１の方向に回転した場合に、前記開口の開封が開始される前に、前記撹拌部材は前記第１の規制部に接触し、
前記開封部材が前記第１の方向と反対の第２の方向に回転した場合に、前記開口の開封が開始される前に、前記撹拌部材は前記第２の規制部に接触することを特徴とする現像剤容器。
【請求項２】
前記開封部材は、動力源から動力を受けて回転し、前記開口を開封することを特徴とする請求項１に記載の現像剤容器。
【請求項３】
前記規制部によって前記開封部材の回転を規制可能なトルクは、前記開封部材が前記動力によって回転する場合に前記開封部材に生じるトルクよりも小さいことを特徴とする請求項１または２に記載の現像剤容器。
【請求項４】
前記規制部は、前記撹拌部材の移動を規制することにより、前記開封部材の回転を規制することを特徴とする請求項１から３のいずれか１項に記載の現像剤容器。
【請求項５】
前記第１の規制部と前記第２の規制部の少なくともいずれか一方は、前記開封部材の回転により移動する前記撹拌部材と接触するように構成される前記現像剤容器の壁部の一部であることを特徴とする請求項１から４のいずれか１項に記載の現像剤容器。
【請求項６】
前記第１の規制部と前記第２の規制部の少なくともいずれか一方は、自由端が形成され
るように前記現像剤容器の壁部に固定され、前記開封部材の回転により移動する前記撹拌部材と前記自由端が接触するように構成されることを特徴とする請求項１から５のいずれか１項に記載の現像剤容器。
【請求項７】
前記第１の規制部と前記第２の規制部の少なくともいずれか一方は、可撓性を有することを特徴とする請求項１から６のいずれか１項に記載の現像剤容器。
【請求項８】
前記撹拌部材は、可撓性を有することを特徴とする請求項１から７のいずれか１項に記載の現像剤容器。
【請求項９】
前記開封部材は、回転により前記封止部材を巻き取ることで前記開口を開封することを特徴とする請求項１から８のいずれか１項に記載の現像剤容器。
【請求項１０】
前記開封部材は、前記現像剤収納室の内部に備えられることを特徴とする請求項１から８のいずれか１項に記載の現像剤容器。
【請求項１１】
開口を有し、現像剤を収納する可撓性容器と、
前記可撓性容器が収容される枠体と、
前記開口を封止する封止部材と、
前記枠体内かつ前記可撓性容器外に配置され、前記封止部材の一部が取り付けられており、回転により前記封止部材を剥離することで前記開口を開封する開封部材と、
前記開封部材に取り付けられている撹拌部材と、
前記撹拌部材と接触することにより前記開封部材の回転を規制する規制部であって、前記開封部材が動力を受けたときに、前記開封部材の回転を許容し前記開口を開封するように設けられ、かつ第１の規制部を含む規制部と、を有し、
前記開封部材が第１の方向に回転した場合に、前記開口の開封が開始される前に、前記撹拌部材は前記第１の規制部に接触することを特徴とする現像剤収納ユニット。
【請求項１２】
前記規制部が前記開封部材の回転を規制可能なトルクは、前記開封部材が前記動力によって回転する場合に前記開封部材に生じるトルクよりも小さいことを特徴とする請求項１１に記載の現像剤収納ユニット。
【請求項１３】
前記規制部は第２の規制部を含み、
前記開封部材が前記第１の方向と反対の第２の方向に回転した場合に、前記開口の開封が開始される前に、前記撹拌部材は前記第２の規制部に接触することを特徴とする請求項１１または１２に記載の現像剤収納ユニット。
【請求項１４】
前記規制部は、前記撹拌部材の移動を規制することにより、前記開封部材の回転を規制することを特徴とする請求項１３に記載の現像剤収納ユニット。
【請求項１５】
前記第１の規制部は、前記開封部材が前記第１の方向に回転する場合に、前記開封部材の回転により移動する前記撹拌部材と接触するように構成される前記可撓性容器の壁部の一部であることを特徴とする請求項１３または１４に記載の現像剤収納ユニット。
【請求項１６】
前記第２の規制部は、前記開封部材が前記第２の方向に回転する場合に、前記開封部材の回転により移動する前記撹拌部材と接触するように構成される前記枠体の壁部の一部であることを特徴とする請求項１３または１４に記載の現像剤収納ユニット。
【請求項１７】
前記第１の規制部と前記第２の規制部の少なくともいずれか一方は、可撓性を有することを特徴とする請求項１３から１６のいずれか１項に記載の現像剤収納ユニット。
【請求項１８】
前記撹拌部材は、可撓性を有することを特徴とする請求項１１から１７のいずれか１項に記載の現像剤収納ユニット。
【請求項１９】
請求項１から１０のいずれか１項に記載の現像剤容器と、
現像剤を担持する現像剤担持体と、
前記現像剤担持体が設けられるとともに、前記開口を介して前記現像剤収納室と連通する現像室と、
を有することを特徴とする現像装置。
【請求項２０】
請求項１１から１８のいずれか１項に記載の現像剤収納ユニットと、
現像剤を担持する現像剤担持体と、
前記現像剤担持体が設けられるとともに、前記枠体の現像剤収納部と連通する現像室と、
を有することを特徴とする現像装置。
【請求項２１】
請求項１から１０のいずれか１項に記載の現像剤容器、または、請求項１１から１８のいずれか１項に記載の現像剤収納ユニット、または、請求項１９または２０に記載の現像装置のいずれか１つと、
前記現像剤により形成される現像剤像を担持する像担持体と、
を有することを特徴とするプロセスカートリッジ。
【請求項２２】
請求項１から１０のいずれか１項に記載の現像剤容器、または、請求項１１から１８のいずれか１項に記載の現像剤収納ユニット、または、請求項１９または２０に記載の現像装置、または、請求項２１に記載のプロセスカートリッジのいずれか１つを有し、
前記現像剤により記録媒体に画像を形成することを特徴とする画像形成装置。
【手続補正２】
【補正対象書類名】明細書
【補正対象項目名】０００８
【補正方法】変更
【補正の内容】
【０００８】
上記目的を達成するためするために、本発明の現像剤容器は、
現像剤容器であって、
現像剤が収納され、開口を有する現像剤収納室と、
前記開口を封止する封止部材と、
前記封止部材の一部が取り付けられており、回転により前記封止部材を剥離することで前記開口を開封する開封部材と、
前記開封部材に取り付けられている撹拌部材と、
前記撹拌部材と接触することにより前記開封部材の回転を規制する規制部であって、前記開封部材が動力を受けたときに、前記開封部材の回転を許容し前記開口を開封するように設けられ、かつ第１の規制部と第２の規制部とを含む規制部と、を有し、
前記開封部材が第１の方向に回転した場合に、前記開口の開封が開始される前に、前記撹拌部材は前記第１の規制部に接触し、
前記開封部材が前記第１の方向と反対の第２の方向に回転した場合に、前記開口の開封が開始される前に、前記撹拌部材は前記第２の規制部に接触することを特徴とする。
【手続補正３】
【補正対象書類名】明細書
【補正対象項目名】００１０
【補正方法】変更
【補正の内容】
【００１０】
また、上記目的を達成するために、本発明の現像剤収納ユニットは、
開口を有し、現像剤を収納する可撓性容器と、
前記可撓性容器が収容される枠体と、
前記開口を封止する封止部材と、
前記枠体内かつ前記可撓性容器外に配置され、前記封止部材の一部が取り付けられており、回転により前記封止部材を剥離することで前記開口を開封する開封部材と、
前記開封部材に取り付けられている撹拌部材と、
前記撹拌部材と接触することにより前記開封部材の回転を規制する規制部であって、前記開封部材が動力を受けたときに、前記開封部材の回転を許容し前記開口を開封するように設けられ、かつ第１の規制部を含む規制部と、を有し、
前記開封部材が第１の方向に回転した場合に、前記開口の開封が開始される前に、前記撹拌部材は前記第１の規制部に接触することを特徴とする。